(57)【要約】【課題】脳の三次元核医学画像データについて、データの解析を行うために設定する関心領域の妥当性を検証する【解決手段】本発明の好適な実施形態は、脳の三次元核医学画像データを読み込むことと；前記三次元核医学画像データに対して設定された関心領域及び参照領域のデータを読み込むことと；前記三次元核医学画像データから、前記脳の特定の断面に対応する２次元画像データを取り出すことと；前記２次元画像データ中の前記関心領域に対応する部分及び前記参照領域に対応する部分の各々について、画素値に関する指標を計算することと；前記断面の位置と前記指標との関係を可視化することと；を含む。【選択図】図２
2015135304.tif 000002
【特許請求の範囲】
【請求項１】
装置の処理手段がプログラム命令を実行することにより前記装置が遂行する方法であって、
（ａ）脳の三次元核医学画像データを読み込むことと；
（ｂ）前記三次元核医学画像データに対して設定された関心領域及び参照領域のデータを読み込むことと；
（ｃ）前記三次元核医学画像データから、前記脳の特定の断面に対応する２次元画像データを取り出すことと；
（ｄ）前記２次元画像データ中の前記関心領域に対応する部分及び前記参照領域に対応する部分の各々について、画素値に関する指標を計算することと；
（ｅ）前記（ｃ）および（ｄ）の処理を、それぞれ位置は異なるが互いに平行な複数の断面に対して行うことと；
（ｆ）前記断面の位置と前記指標との関係を可視化することと；
を含む、方法。
【請求項２】
前記関心領域は脳実質中で関心構造を囲むように設定される領域であり、前記参照領域は脳実質中で前記関心構造を含まないように設定される領域である、請求項１に記載の方法。
【請求項３】
前記関心構造は線条体であり、前記関心領域は左右の線条体に各々対応して２つ設定される、請求項２に記載の方法。
【請求項４】
前記断面は水平横断面に平行である、請求項１から３のいずれかに記載の方法。
【請求項５】
前記指標は画素値の平均に関する、請求項１から４のいずれかに記載の方法。
【請求項６】
前記可視化は、前記断面の位置に関係する値を横軸に取り、前記画素値に関する値を縦軸にとって、前記関心領域に対応する部分から計算した指標と、前記参照領域に対応する部分から計算した指標とをグラフに描くことにより行われる、請求項１から５のいずれかに記載の方法。
【請求項７】
システムの処理手段に実行されると前記システムに請求項１から６のいずれかに記載の方法を遂行させるプログラム命令群を備える、コンピュータプログラム。
【請求項８】
処理手段と記憶手段とを有するシステムにおいて、前記記憶手段が、前記処理手段により実行されると前記システムに請求項１から６のいずれかに記載の方法を遂行させるプログラム命令群を格納する、システム。
【発明の詳細な説明】
【技術分野】
【０００１】
本発明は、脳の三次元核医学画像データについて、データの解析を行うために設定する関心領域の妥当性を検証する技術に関する。
【発明の背景】
【０００２】
パーキンソン症候群およびレビー小体型認知症は、脳内の線条体におけるドパミンの減少を伴うことが知られている。そこで、核医学の手法を用いて黒質線条体ドパミン神経の終末部に存在するドパミントランスポーターの分布を画像化し、ドパミン神経の変性・脱落を評価することが、これらの脳疾患の診断上有用である。この画像化に適した放射性トレーサーとしては１２３Ｉで標識されたイオフルパン（１２３Ｉ-ＦＰ-ＣＩＴ）が知られており、出願人も「ダットスキャン静注」との商品名で販売を行っている。（なお「ダットスキャン」は登録商標である。）
【０００３】
非特許文献１には、１２３Ｉ-ＦＰ-ＣＩＴを放射性トレーサーとして用いて作成した脳の三次元ＳＰＥＣＴ（Single Photon Emission Computed Tomography；単一光子放射断層撮影法）画像を用いて、上記の疾患の有無を判定する手法が記載されている。この手法では、ＳＰＥＣＴ画像データ中で線条体を含む領域を水平横断面に垂直な方向に加算して２次元加算画像を作成すると共に、その加算画像を用いて左右の線条体の各々にＲＯＩ（Region of Interest）を設定する。本願の図７は、非特許文献１のfig.3をコピーしたものである。この図に描かれるように、ＲＯＩの形状は、水平横断面上で、線条体を囲むように５角形状を呈しており、左右の線条体それぞれに対して設定される。実際のデータ解析で用いられる関心領域は、断面がこの５角形となる５角柱状のＶＯＩ（Volume of Interest）となる。
【先行技術文献】
【非特許文献】
【０００４】
【非特許文献１】Livia Tossici-Bolt1 et al., "Quantification of [123I]FP-CIT SPECT brain images: an accurate technique for measurement of the specific binding ratio", European Journal of Nuclear Medicine and Molecular Imaging Vol. 33, No. 12, December 2006, pp. 1491-1499
【発明の概要】
【発明が解決しようとする課題】
【０００５】
ＶＯＩの高さ、すなわち水平横断面に垂直な方向の広がりは、線条体の全てを含むように設定される。しかし、非特許文献１では関心領域の設定を２次元画像上で行うため、水平横断面に垂直な方向の広がりが正しく設定されているかを判断する術がない。本発明は、このような課題に鑑みて生まれた発明であって、一般的に、脳の三次元核医学画像データについて、データの解析を行うために設定する関心領域の妥当性を検証することを可能とすべく生まれた発明である。
【課題を解決するための手段】
【０００６】
本発明の好適な実施形態は、
（ａ）脳の三次元核医学画像データを読み込むことと；
（ｂ）前記三次元核医学画像データに対して設定された関心領域及び参照領域のデータを読み込むことと；
（ｃ）前記三次元核医学画像データから、前記脳の特定の断面に対応する２次元画像データを取り出すことと；
（ｄ）前記２次元画像データ中の前記関心領域に対応する部分及び前記参照領域に対応する部分の各々について、画素値に関する指標を計算することと；
（ｅ）前記（ｃ）および（ｄ）の処理を、それぞれ位置は異なるが互いに平行な複数の断面に対して行うことと；
（ｆ）前記断面の位置と前記指標との関係を可視化することと；
を含む。
【０００７】
各断面位置において前記（ｄ）で計算される指標を、当該断面位置との関係が分かるように可視化することにより、関心領域が適切に設定されているかどうかを検証することが可能になる。
【０００８】
好適な実施形態の一例において、前記関心領域は脳実質中で関心構造を囲むように設定される領域であり、前記参照領域は脳実質中で前記関心構造を含まないように設定される領域であることができる。
【０００９】
好適な実施形態の一例において、前記関心構造は線条体であり、前記関心領域は左右の線条体に各々対応して２つ設定されることができる。
【００１０】
好適な実施形態の一例において、前記断面は水平横断面に平行であることができる。
【００１１】
好適な実施形態の一例において、前記指標は画素値の平均に関することができる。
【００１２】
好適な実施形態の一例において、前記可視化は、前記断面の位置に関係する値を横軸に取り、前記画素値に関する値を縦軸にとって、前記関心領域に対応する部分から計算した指標と、前記参照領域に対応する部分から計算した指標とをグラフに描くことにより行われることができる。
【００１３】
本発明は、上記の手法の少なくともいずれかを含む方法や、上記の手法の少なくともいずれかをシステム又は装置に遂行させるためのプログラム、上記の手法の少なくともいずれかを遂行する手段を備えるシステム又は装置として実施されることができる。
【００１４】
本発明の好適な具現化形態のいくつかを、特許請求の範囲に含まれる請求項に特定している。しかしこれらの請求項に特定される構成が、本明細書及び図面に開示される新規な技術思想の全てを含むとは限らない。出願人は、現在の請求項に記載されているか否かに関わらず、本明細書及び図面に開示される新規な技術思想の全てについて、特許を受ける権利を有することを主張するものであることを記しておく。
【図面の簡単な説明】
【００１５】
【図１】本明細書で開示される様々な処理を実行しうる機械の例である、装置又はシステム１００の主な構成を説明するための図である。
【図２】本明細書で開示される処理の一例を説明するためのフローチャートである。
【図３Ａ】関心領域及び参照領域の例を説明するための図である。
【図３Ｂ】関心領域及び参照領域の例を説明するための図である。
【図４Ａ】本明細書で開示される特徴的な表示の例を説明するための図である。
【図４Ｂ】図４Ａの表示に対応する関心領域の様子を説明するための図である。
【図５Ａ】本明細書で開示される特徴的な表示の例を説明するための図である。
【図５Ｂ】図４Ａの表示に対応する関心領域の様子を説明するための図である。
【図６Ａ】本明細書で開示される特徴的な表示の例を説明するための図である。
【図６Ｂ】図４Ａの表示に対応する関心領域の様子を説明するための図である。
【図７】非特許文献のfig.3をコピーしたものである。
【好適な実施形態の説明】
【００１６】
次に、本発明をより深く理解してもらうために、添付図面を参照しつつ、本発明の好適な実施形態の例を説明する。
【００１７】
図１は、本明細書で開示される様々な処理を実行しうる機械の例である、装置又はシステム１００の主な構成を説明するための図である。図１に描かれるように、システム１００は、ハードウェア的には一般的なコンピュータと同様であり、ＣＰＵ１０２，主記憶装置１０４，補助記憶装置１０６，ディスプレイ・インターフェース１０７，周辺機器インタフェース１０８，ネットワーク・インターフェース１０９などを備えることができる。一般的なコンピュータと同様に、主記憶装置１０４としては高速なＲＡＭ（ランダムアクセスメモリ）を使用することができ、補助記憶装置１０６としては、安価で大容量のハードディスクやＳＳＤなどを用いることができる。システム１００には、情報表示のためのディスプレイを接続することができ、これはディスプレイ・インターフェース１０７を介して接続される。またシステム１００には、キーボードやマウス、タッチパネルのようなユーザインタフェースを接続することができ、これは周辺機器インタフェース１０８を介して接続される。ネットワーク・インターフェース１０９は、ネットワークを介して他のコンピュータやインターネットに接続するために用いられることができる。
【００１８】
補助記憶装置１０６には、オペレーティングシステム（ＯＳ）１１０や、本明細書で開示される特徴的な処理を提供するための関心領域検証プログラム１２０などが格納されていることができる。システム１００の最も基本的な機能は、ＯＳ１１０がＣＰＵ１０２に実行されることにより提供される。また、本明細書で開示される新規な処理は、関心領域検証プログラム１２０がＣＰＵ１０２に実行されることにより提供される。関心領域検証プログラム１２０を構成するプログラム命令群は、Ｃ＋＋やＪＡＶＡなど、既存の如何なるプログラム言語でプログラムされたものでもよく、好適なコンパイラにより実行可能形式にコンパイルされて補助記憶装置１０６に格納されることができる。
【００１９】
補助記憶装置１０６には、関心領域検証プログラム１２０による検証の対象となる関心領域の情報を含むデータ１３２や、当該関心領域が設定された画像データ１３０、当該関心領域に対応して設定される参照領域のデータ１３４なども格納されていることができる。画像データ１３０は脳の三次元核医学画像データであり、各画素が、放射能カウント値に関係する値を画素値として有するデータである。本例における画像データ１３０は、黒質線条体ドパミン神経に存在するドパミントランスポーターの分布を画像化するために使用可能な放射性トレーサーを使って得られた画像データである。この目的に適当なトレーサーとしては、前述のように例えば１２３Ｉ-ＦＰ-ＣＩＴが知られており、画像データ１３０は、１２３Ｉ-ＦＰ-ＣＩＴを使ってＳＰＥＣＴ装置で信号収集を行うことにより得られた脳の三次元ＳＰＥＣＴ画像であることができる。ただし、本明細書に開示される技術思想は、そのような画像データに対してしか適用できないわけではない。
【００２０】
この画像データ１３０に対する関心領域の設定は、例えば非特許文献１に記載のように、画像データ１３０を可視化しながらマウスやキーボードを使って手動で行うことができる。また、特願２０１４−６３６７に開示された、本願出願人による自動化された関心領域設定手法により設定してもよい。設定された関心領域のデータは、データ１３２として補助記憶装置１０６や別の記憶装置に格納され、プログラム１２０により読み込まれて使用されてもよい。関心領域の具体的な形状は、非特許文献１のfig.3や本願の図７に関連して説明されている通りであるが、図２を用いて後で改めて具体例を紹介する。上記参照領域は、上記関心領域と対比するために設定される領域であるが、その具体例についても図２を用いて後に説明する。関心領域や参照領域の設定に関与するプログラム命令群は、プログラム１２０には含まれないものであることができる。しかしながら、実施形態によっては、関心領域や参照領域の設定に関与するプログラム命令群が、プログラム１２０に含まれていてもよい。
【００２１】
システム１００は、図１に描かれた要素の他にも、電源や冷却装置など通常のコンピュータシステムが備える装置と同様の構成を備えることができる。コンピュータシステムの実装形態には、記憶装置の分散・冗長化や仮想化、複数ＣＰＵの利用、ＣＰＵ仮想化、ＤＳＰなど特定処理に適したプロセッサの使用、特定の処理をハードウェア化してＣＰＵに組み合わせることなど、様々な技術を利用した様々な形態のものが知られている。本明細書に開示される事項は、どのような形態のコンピュータシステム上に搭載されてもよく、コンピュータシステムの形態によって本発明の範囲が限定されることはない。本明細書に開示される事項は、一般的に、（１）処理手段に実行されることにより、当該処理手段を備える装置またはシステムに、本明細書で説明される各種の処理を遂行させるように構成される命令を備えるプログラム、（２）当該処理手段が当該プログラムを実行することにより実現される装置またはシステムの動作方法、（３）当該プログラム及び当該プログラムを実行するように構成される処理手段を備える装置またはシステムなどとして具現化されることができる。
【００２２】
また、システム１００の製造販売時や起動時には、データ１３０〜１３４は、補助記憶装置１０６の中に記憶されていない場合が多いことに注意されたい。これらのデータは、例えばネットワーク・インターフェース１０９を介して外部のＳＰＥＣＴ装置からシステム１００に転送されてきたデータであってもよい。実施例によっては、画像データ１３０は、図示されない別の処理手段によって整形や補間、位置合わせ、ノイズ低減処理などが施されたものであってもよい。実施例によっては、これら整形・位置合わせ等の処理は、プログラム１２０や図示されない別のプログラムがＣＰＵ１０２に実行されることを通じて行われるものであってもよい。実施例によっては、データ１３２および１３４は、プログラム１２０や他のプログラムがＣＰＵ１０２に実行されることを通じて形成され、記憶されたものであってもよい。また、プログラム１２０やＯＳ１１０の実装形態によっては、データ１３２〜１３６は補助記憶装置１０６に格納されず、主記憶装置１０４にしか格納されない場合もある。本発明の範囲は、データ１３０〜１３６の存在の有無によって限定されるものではないことを、念のために記しておく。
【００２３】
次に図２のフローチャートを用いて、本発明による関心領域検証処理の好適な実施形態の一例である処理２００を説明する。処理２００は、関心領域検証プログラム１２０に含まれるプログラム命令群がＣＰＵ１０２に実行されることにより、システム１００が遂行する処理であってもよい。
【００２４】
ステップ２０２は処理の開始を示す。ステップ２０４では、関心領域検証プログラム１２０による検証の対象となる関心領域が設定された、画像データ１３０がロードされ、その少なくとも一部が主記憶装置１０４へコピーされる。本実施例では、画像データ１３０は、１２３Ｉ-ＦＰ-ＣＩＴを使ってＳＰＥＣＴ装置で信号収集を行うことにより得られた脳の三次元ＳＰＥＣＴ画像である。ステップ２０６では、関心領域検証プログラム１２０による検証の対象となる関心領域のデータ１３２と、当該関心領域に対応して設定される参照領域のデータ１３４とがロードされ、その少なくとも一部が主記憶装置１０４へコピーされる。
【００２５】
図３Ａおよび図３Ｂを用いて、上記の画像データや関心領域、参照領域の具体例を示す。図３Ａは、画像データ１３０のうち、設定された関心領域が存在する水平横断面の画像データを重ね合わせて表示したものである。符号３０２で示した灰色の領域は、脳実質が存在する領域を示し、符号３０４，３０６で示された、明るく表示されている領域は、１２３Ｉ-ＦＰ-ＣＩＴの集積度が高い部分、すなわち線条体が存在する領域を表している。符号３０４で表した部分が右半球の線条体を表し、符号３０６で表した部分が左半球の線条体を表す。関心領域は、図７と同様に、すなわち非特許文献１に記載の手法と同様に、この重ね合わせ画像上で線条体が存在する領域を囲むように、左右それぞれに対して設定される。符号３０８で示した線の内側が右半球における関心領域を示し、符号３１０で示した線の内側が左半球における関心領域を示す。図示されるように、重ね合わせ画像上の関心領域の断面は５角形状となる。
【００２６】
本実施例における参照領域は次のように設定されている。まず、脳実質の輪郭が自動で抽出される。符号３１２で示す白線が自動抽出した脳実質の輪郭を表している。輪郭の自動抽出は、例えば画素値に基づいて容易に行うことができ、例えば、画像全体の画素値の最大値や平均値等の基準値に基づいて閾値を設定し、画像中心から放射状に画素値の走査を行って、画素値が閾値にほぼ等しくなる画素のうち、画像中心から最も遠い画素を、脳実質の輪郭とするなどとすることができる。符号３１４で示す白線は、脳実質の輪郭を所定の距離だけ脳の内側に移動した線である。水平横断面に平行な面において、白線３１４より内側に位置する領域であって、関心領域３０８，３１０には含まれない領域が、本実施例における参照領域である。
【００２７】
図３Ｂは、３次元脳ＳＰＥＣＴ画像データ１３０を水平横断面で輪切りにし、そのいくつかのスライスを表示したものである。各スライスの左上に、２３から４３までの数字が表示されているが、これは、順番に並んだ水平横断面スライスの番号を表しており、番号が小さくなるほど頭頂部側に位置する水平横断面であり、番号が大きくなるほど小脳側に位置する水平横断面であることを表している。スライス２５から４５には、濃い灰色で表された５角形の線が２つと、脳実質を囲むように白色で表された線が１つ表示されている。これらの線は、それぞれ図３Ａに示した線３０８，３１０，３１４に対応する線である。念のため、スライス３３のみに符号３０８，３１０，３１４を入れてある。スライス２５−４５に対して線３０８，３１０，３１４が表示されていることは、上記の関心領域や参照領域が、スライス２５から４５までの範囲に設定されていることを示している。すなわち、関心領域や参照領域の、水平横断面に垂直な方向の拡がりが、スライス２５から４５に対応する範囲であることが示されている。
【００２８】
かかる関心領域や参照領域を表す情報を含むデータ１３２，１３４は、前述のように、他のプログラムによって作成され、補助記憶装置１０６に格納されて、関心領域検証プログラム１３０によって読み込まれて使用されることができる。しかし、実施形態によっては、関心領域検証プログラム１３０自体にデータ１３２，１３４を作成する機能が含まれていてもよい。
【００２９】
画像データ１３０から、図３Ａのような重ね合わせ画像を作成して表示することを容易にするために、画像データ１３０は、冠状断面を表示させたときに正中線が視野中心を通る線に一致するように、予め傾きが補正されていることが好ましい。また、水平横断面に対する位置関係も予め揃えられていることが好ましい。例えばＡＣ−ＰＣラインやＯＭラインが水平横断面に平行になるように傾き補正を行うなどのように、傾きの標準化が行われていることが好ましい。
【００３０】
なお水平横断面や冠状面との表現は、よく知られているように、脳の解剖学的表現で一般的に用いられる表現である。水平横断面は、おおよそ、立位状態で地面に平行な方向の断面であると考えればよい。すなわち、だいたい脊髄に垂直な方向の断面と考えればよい。水平横断面との表現の他に、水平面、横断面、Ａｘｉａｌ面のようにも称される。冠状断面は、立位状態でおおよそ地面に垂直な方向の断面であって、前頭部側と後頭部側を分けるような断面であると考えればよい。なお、立位状態でおおよそ地面に垂直な方向の断面であって、左右に分けるような断面を、矢状断面という。
【００３１】
図２に戻り、処理２００の説明を続ける。符号２０８から２１４のループでは、関心領域が設定されている水平横断面スライスの画像データが一枚一枚選択され、それぞれ所定の情報が計算される。すなわち、例えば図３Ｂの例では、ループが２０８に戻るたびに、スライス番号２５〜４５のスライスのいずれかが順番に選択される。ステップ２１０では、現在のループで選択されたスライスの画像データについて、右半球の線条体に対応する関心領域３０８に含まれる画素群の平均値と、左半球の線条体に対応する関心領域３１０に含まれる画素群の平均値とが、それぞれ計算される。ステップ２１２では、参照領域３１４に含まれる画素群の平均値が計算される。従って、符号２０８から２１４のループを抜けると、スライス番号２５〜４５の各々について、右半球の線条体に対応する関心領域３０８に含まれる画素群の平均値と、左半球の線条体に対応する関心領域３１０に含まれる画素群の平均値と、参照領域３１４に含まれる画素群の平均値とが計算されている。これらの計算で得られたデータは、データ１３６として補助記憶装置１０６や主記憶装置１０４に格納されてもよい（ステップ２１６）。
【００３２】
ステップ２１８では、符号２０８から２１４のループで計算された情報の表示が行われる。この情報の表示は、水平横断面スライスの位置と、当該位置においてステップ２１０及び２１２で計算された値との関係が理解されうるように行われる。この関係が理解できるのであれば、表示の態様は様々なものであってよく、その表示の態様によって本発明の範囲が限定されることはない。
【００３３】
図４〜図６を用いて、ステップ２１８で行われる表示の一例を説明する。図４Ａは、図３Ａ，図３Ｂに例示したものと同じデータを用いて、水平横断面スライスの番号を横軸に取り、各スライスにおける、左半球線条体関心領域３１０の平均画素値と参照領域３１４の平均画素値をグラフに描いたものである。前述のように、スライス番号が若いほど、頭頂側に位置する水平横断面を表している。従って図４Ａは、断面位置と、関心領域及び参照領域の平均画素値の関係を表している。なお、縦軸の値が「平均カウント値」と表示されている理由は、ＳＰＥＣＴ画像データの画素値は、通常、カウント値を画素値として有しているからである。
【００３４】
図４Ａのグラフにおいて、曲線４０２は各断面位置における関心領域の平均画素値を表し、曲線４０４は各断面位置における参照領域の平均画素値を表している。曲線４０２，４０４がスライス番号２５〜４５の範囲にしか描かれていないのは、上述のように、関心領域が設定されている範囲が、スライス番号２５〜４５の範囲であるからである。図４Ａのグラフを見ると、関心領域の端部、すなわちスライス番号２５や４４の付近において、曲線４０２と曲線４０４の縦軸の値があまり違わなくなっている。すなわち、関心領域の両端において、関心領域の水平横断面における平均カウント値と、参照領域の水平横断面における平均カウント値とが、だいたい同じ値になっている。このようなグラフの形状は、少なくとも水平横断面に垂直な方向においては、関心領域が適切に設定されていることを示していることが判明している。
【００３５】
関心領域が適切に設定されていないと、図４Ａのようなグラフにはならない。図５Ａは、関心領域が適切に設定されていない場合の一例である。図５Ａのグラフは、図４Ａのグラフと同様に、曲線５０２が各断面位置における左線条体関心領域３１０の平均画素値を表し、曲線５０４が各断面位置における参照領域３１４の平均画素値を表している。曲線５０２及び５０４が存在する範囲は、スライス番号が１９から３９の範囲であるが、これは、水平横断面に垂直な方向において、関心領域がスライス番号１９〜３９の範囲に設定されていることを示している。図５Ａのグラフは、図４Ａのグラフと異なり、スライス番号が大きい側の端部において、曲線５０２と曲線５０４の縦軸の値が大きく異なっている。これは、関心領域が頭頂部側に不適切に偏っていることを示している。
【００３６】
図４Ａのようなグラフが描かれる場合と、図５Ａのようなグラフが描かれる場合とを、図４Ｂおよび図５Ｂを用いて説明する。図４Ｂは、図４Ａのグラフが得られた画像データおよび関心領域データについて、矢状断面像と冠状断面像とを用いて、水平横断面に垂直な方向の関心領域の拡がりを示したものである。図示されるように、左側に描かれている断面像が矢状断面像であり、右側に描かれている断面像が冠状断面像である。当業者には直ちに理解されうるように、Ｓ，Ｉ，Ａ，Ｐ，Ｒ，Ｌとの記号は方向を示しており、それぞれ頭頂側、脳低側、頭部の前面側、頭部の背面側、右側、左側を示している。矢状断面像において、２５，４５との数値および対応する直線は、上述の水平横断面スライスの番号２５および４５を示している。また、番号３５の水平横断面スライスに対応する点線と、番号５３で表される冠状断面スライスに対応する点線とが描かれており、その交点付近では画素が明るく表示されている。この画素が明るい領域が、左半球の線条体を表している。表示されている矢状断面像の左肩には７２との数値が描かれているが、これは、画像データ１３０を矢状断面像スライスの集合と見た場合の、７２番目のスライスであることを示している。
【００３７】
同様に、図４Ｂの右側に描かれている冠状断面像においても、上述のスライス番号２５および４５に対応する水平横断面の位置が直線で表されている。また、番号３５の水平横断面スライスに対応する点線と、番号７２で表される矢状断面スライス（すなわち図４Ｂの左側に描かれているスライス）に対応する点線とが描かれており、その交点付近では画素が明るく表示されている。どうように、この画素が明るい領域が、左半球の線条体を表している。表示されている冠状断面像の左肩には５３との数値が描かれているが、これは、画像データ１３０を冠状断面像スライスの集合と見た場合の、５３番目のスライスであることを示している。
【００３８】
図４Ｂに描かれているように、図４Ａのようなグラフが描かれる場合、すなわち、関心領域の水平横断面における平均カウント値と、参照領域の水平横断面における平均カウント値とが、関心領域の両端においてだいたい同じ値になるようなグラフが描かれる場合は、関心領域が設定されている範囲に線条体がきれいに入っている。
【００３９】
一方、図５Ｂは、図５Ａのグラフが得られた画像データおよび関心領域データを用いて、図４Ｂと同様の表示を行ったものである。上述のように、関心領域は、水平横断面に垂直な方向において、スライス番号１９から３９の範囲に設定されており、図５Ｂには対応する直線が示されている。この図をみると、線条体が関心領域の下側に偏って位置しており、関心領域が頭頂側に不適切に偏って設定されていることがわかる。
【００４０】
関心領域が適切に設定されていない別の例を、図６Ａ及び図６Ｂを用いて紹介する。図６Ａに示すグラフも、図４Ａや図５Ａのグラフと同様に、曲線６０２が各断面位置における左線条体関心領域３１０の平均画素値を表し、曲線６０４が各断面位置における参照領域３１４の平均画素値を表している。曲線６０２及び６０４が存在する範囲はスライス番号３０から５０の範囲であるが、これは、水平横断面に垂直な方向において、関心領域がスライス番号３０から５０の範囲に設定されていることを示している。図６Ａのグラフは、スライス番号が小さい側の端部において、曲線６０２と曲線６０４の縦軸の値が大きく異なっている。これは、関心領域が小脳側に不適切に偏っていることを示している。
【００４１】
図６Ｂは、図５Ａのグラフが得られた画像データおよび関心領域データを用いて、図４Ｂと同様の表示を行ったものである。上述のように、関心領域は、水平横断面に垂直な方向において、スライス番号３０から５０の範囲に設定されており、図６Ｂには対応する直線が示されている。この図をみると、線条体が関心領域の上側に偏って位置しており、関心領域が小脳側に不適切に偏って設定されていることがわかる。
【００４２】
このように、図４Ａや５Ａ，６Ａに例示したような表示を行うと、関心領域が適切に設定されているかどうかを検証することが可能になる。
また、図４Ａや５Ａ，６Ａに例示したような表示を行うと、参照領域が適切に設定されているか否かを評価できる場合がある。図４Ａにおいて、各断面位置における参照領域の平均画素値を表す曲線４０４は、図示されるように、曲線とはいえ、かなり直線に近い線となっている。これに対して、参照領域中に線条体部分を含んでいたり、脳実質外のブランク部分を含んでいたりすると、直線性が悪化する。このため、参照領域のグラフの直線性を評価することにより、参照領域の設定の適切性を評価できる場合がある。  
【００４３】
なお、図４Ａ等の表示は、ステップ２１８で行われることが可能な可視化手法の単なる一例に過ぎない。たとえば図４Ａ等では、左半球の線条体に対して設定された関心領域３１０に関するグラフしか表示していないが、右半球の線条体に対して設定された関心領域３０８に関するグラフを表示してもよいし、左右の線条体にそれぞれ対応する二本の曲線を含むグラフを表示してもよい。左右線条体で集積ピークが同様の位置に存在している症例に対しては、線条体ＲＯＩのピーク位置の重なり具合から、断層像の傾き具合が推定できる場合がある。
【００４４】
また、図４Ａ等の表示では、関心領域に対応する曲線と参照領域に対応する曲線との２本の曲線を表示していたが、実施形態によっては、各スライス位置において、ステップ２１０で計算した値とステップ２１２で計算した値との比を取り、それに関連する値をグラフ表示してもよい。たとえば、各スライス位置において、（当該スライス位置における左線条体関心領域の平均画素値）／（当該スライス位置における参照領域の平均画素値）との値を計算し、その値を、スライス位置との関係が分かるようにグラフ化してもよい。または、｛（当該スライス位置における左線条体関心領域の平均画素値）−（当該スライス位置における参照領域の平均画素値）｝との値を計算し、これをスライス位置との関係が分かるようにグラフ化してもよい。グラフに表示する値は、画像全体の平均画素値や最大画素値など、適当な値を用いて規格化してもよい。実施形態によっては、ステップ２１０で計算した値とステップ２１２で計算した値とを、スライス番号と共に、単に数値で表示してもよい。要は、各断面における関心領域及び参照領域の情報を、各断面の位置との対応が分かるように可視化すればよい。
【００４５】
なお、これまで紹介した例においては、ステップ２１０やステップ２１２で計算した値は、関心領域又は参照領域の平均画素値であったが、実施形態によっては、平均画素値の代わりに当該領域の最大値や中央値を用いてもよい。
【００４６】
そのほか、これまで紹介した例においては、ステップ２０８〜２１４のループで切り出す断面は水平横断面であったが、実施形態によっては、冠状断面や矢状断面など、他の断面であってもよい。一般的に、それぞれ位置は異なるが互いに平行な任意の断面を複数用いて、ステップ２０８〜２１４のループを実施することが可能である。
【００４７】
以上、本発明の実施形態を好適な例を用いて説明してきたが、これらの例は本発明の範囲を限定するために紹介されたわけではなく、特許法の要件を満たし、本発明の理解に資するために紹介されたものである。本発明は様々な形態で具現化されることができ、本発明の実施形態には、ここに例示した以外にも多くのバリエーションが存在する。説明された各種の実施例に含まれている個々の特徴は、その特徴が含まれることが直接記載されている実施例と共にしか使用できないものではなく、ここで説明された他の実施例や説明されていない各種の具現化例においても、組み合わせて使用可能である。特にフローチャートで紹介された処理の順番は、必ず紹介された順番で実行しなければならないわけではなく、実施するものの好みに応じて、順序を入れ替えたり並列的に同時実行したり、さらに複数のブロックを一体不可分に実装したり、適当なループとして実行したりするように実装してもよい。これらのバリエーションは全て本発明の範囲に含まれるものである。請求項に特定される処理の記載順も、処理の必須の順番を特定しているわけではなく、例えば処理の順番が異なる実施形態や、ループを含んで処理が実行されるような実施形態なども、請求項に係る発明の範囲に含まれるものである。現在の特許請求の範囲で特許請求がなされているか否かに関わらず、出願人は、本発明の思想を逸脱しない全ての形態について、特許を受ける権利を有することを主張するものであることを記しておく。
【符号の説明】
【００４８】
１００  システム
１０２ ＣＰＵ
１０４  主記憶装置
１０６  補助記憶装置
１０７  ディスプレイ・インターフェース
１０８  周辺機器インタフェース
１０９  ネットワーク・インターフェース
１２０  関心領域検証プログラム
１３０  画像データ
【図１】
2015135304.tif 000003
【図２】
2015135304.tif 000004
【図４Ａ】
2015135304.tif 000005
【図５Ａ】
2015135304.tif 000006
【図６Ａ】
2015135304.tif 000007
【図３Ａ】
2015135304.tif 000008
【図３Ｂ】
2015135304.tif 000009
【図４Ｂ】
2015135304.tif 000010
【図５Ｂ】
2015135304.tif 000011
【図６Ｂ】
2015135304.tif 000012
【図７】
2015135304.tif 000013
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
装置の処理手段がプログラム命令を実行することにより前記装置が遂行する方法であって、
（ａ）脳の三次元核医学画像データを読み込むことと；
（ｂ）前記三次元核医学画像データに対して設定された関心領域及び参照領域のデータを読み込むことと；
（ｃ）前記三次元核医学画像データから、前記脳の特定の断面に対応する２次元画像データを取り出すことと；
（ｄ）前記２次元画像データ中の前記関心領域に対応する部分及び前記参照領域に対応する部分の各々について、画素値に関する指標を計算することと；
（ｅ）前記（ｃ）および（ｄ）の処理を、それぞれ位置は異なるが互いに平行な複数の断面に対して行うことと；
（ｆ）前記断面の位置と前記指標との関係を可視化することと；
を含み、
前記関心領域は、脳実質中で関心構造を囲むように設定される領域であり、前記参照領域は、脳実質中で前記関心構造を含まないように設定される領域であり、
前記可視化は、少なくとも前記関心領域の一端部の付近の前記断面の位置から他端部の付近の前記断面の位置までの範囲について行われる、方法。
【請求項２】
前記関心構造は線条体であり、前記関心領域は左右の線条体に各々対応して２つ設定される、請求項１に記載の方法。
【請求項３】
前記断面は水平横断面に平行である、請求項１または２に記載の方法。
【請求項４】
前記指標は画素値の平均に関する、請求項１から３のいずれかに記載の方法。
【請求項５】
前記可視化は、前記断面の位置に関係する値を横軸に取り、前記画素値に関する値を縦軸にとって、前記関心領域に対応する部分から計算した指標と、前記参照領域に対応する部分から計算した指標とをグラフに描くことにより行われる、請求項１から４のいずれかに記載の方法。
【請求項６】
システムの処理手段に実行されると前記システムに請求項１から５のいずれかに記載の方法を遂行させるプログラム命令群を備える、コンピュータプログラム。
【請求項７】
処理手段と記憶手段とを有するシステムにおいて、前記記憶手段が、前記処理手段により実行されると前記システムに請求項１から５のいずれかに記載の方法を遂行させるプログラム命令群を格納する、システム。